【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
注入システムのための装置であって、
供給源弁を介して、液体源から注入液を受容するように構成される注入室と、
前記注入室に接続される注入導管であって、第１の弁を有し、第１の圧力を有する非液体環境に暴露される注入ポートを有する、注入導管と、
前記注入室と前記第１の弁との間の場所で前記注入導管と交差するクロス導管であって、真空源に接続され、第２の弁を有する、クロス導管と、
前記第１の弁、前記第２の弁、前記供給源弁、および前記真空源に電気的に連結される制御装置であって、前記第１の弁、前記第２の弁、および前記供給源弁の開閉を制御し、かつ前記真空源の作動を制御する、制御装置と、を備え、
前記制御装置が、前記注入液が、第１の体積の前記注入液で前記注入導管を充填すること、および前記注入液で前記注入室および前記クロス導管を少なくとも部分的に充填することを可能にするように、前記第１の弁、前記第２の弁、および前記供給源弁を開き、
前記制御装置が、前記注入室を分離するように前記第１の弁、第２の弁、および供給源弁を閉じ、
前記制御装置が、前記クロス導管内部の前記注入液の一部を前記第２の弁から離れる方向へ移動させて、前記クロス導管の少なくとも一部に第２の圧力を生じるように前記真空源を動作させ、前記第２の圧力が前記第１の圧力より低く、
前記制御装置が、前記注入導管内に含まれた第２の体積の前記注入液が前記第１の弁を越えて移動することを可能にするように前記第１の弁および前記第２の弁を開き、
前記注入液の前記第２の体積が、前記注入液の前記第１の体積以下である、装置。
【請求項２】
前記注入導管内に含まれた第２の体積の前記注入液が前記第１の弁を越えて移動することを可能にするように前記第１の弁および前記第２の弁を開くことが、
前記注入室内に前記第２の圧力を生じるように前記第２の弁を開くことと、
前記第２の圧力の前記注入室を分離するように前記第２の弁を閉じることと、
前記第２の弁を開いて閉じた後に、前記第２の体積の前記注入液が、前記第１の弁を越えて前記注入室へ向かって流れることを可能にするように、前記第１の弁を開くことと、を含む、請求項１に記載の装置。
【請求項３】
前記注入導管内に含まれた第２の体積の前記注入液が前記第１の弁を越えて移動することを可能にするように前記第１の弁および前記第２の弁を開くことが、
前記第１の弁を開くことと、
前記第１の弁を開いた後に、前記第２の体積の前記注入液が前記第１の弁を越えて移動することを可能にするように、前記第２の弁を開くことと、を含む、請求項１に記載の装置。
【請求項４】
前記液体の前記第１の体積が、１０〜２０立方センチメートルであり、前記液体の前記第２の体積が、１０立方センチメートル以下である、請求項１に記載の装置。
【請求項５】
前記注入ポートが、デバイスと流体的に連結されるように構成され、前記第２の体積の前記液体が前記第１の弁を越えて移動すると、前記非液体環境内の非液体が前記デバイスに入る、請求項１に記載の装置。
【請求項６】
分離弁を介して前記注入室に連結された注入圧力源であって、前記制御装置に電気的に連結され、前記注入圧力源の前記動作が、前記制御装置によって制御される、注入圧力源を更に備え、
前記制御装置が、前記注入導管に含まれる前記第２の体積の前記注入液が、前記第１の弁を越えて移動することを可能にするように、前記第１の弁および前記第２の弁を開いた後、前記制御装置が、前記分離弁を開き、前記第１の弁を開き、前記液体を前記注入室から離れる方向へ、かつ前記注入ポートに向かって押すように前記注入圧力源を動作させる、請求項１に記載の装置。
【請求項７】
注入システムをプライミングする方法であって、
注入液を含めて提供される注入室を有するシステムであって、前記注入室が、第１の弁を有する注入導管に接続され、前記システムが、前記注入室と前記第１の弁との間の場所で前記注入導管と交差するクロス導管を有し、前記クロス導管が吸引室に連結され、前記クロス導管が第２の弁を有し、前記吸引室が真空源に連結される、システムを提供することと、
第１の体積の前記注入液で前記注入導管を充填することであって、前記注入導管が、第１の圧力を有する非液体環境に暴露される注入ポートを有する、充填することと、
前記注入室を分離するように前記第１および第２の弁を閉じることと、
前記第１の圧力より低い第２の圧力を前記吸引室に生じるように前記真空源を動作させることと、
前記注入導管内の第２の体積の前記注入液が、第１の弁を越えて前記注入室へ向かって流れることを生じさせるように、前記第１の弁および前記第２の弁を開くことと、を含み、
前記注入液の前記第２の体積が、前記注入液の前記第１の体積以下である、方法。
【請求項８】
前記注入導管内の前記第２の体積の前記注入液が前記第１の弁を越えて流れることを生じさせるように前記第１の弁および前記第２の弁を開くことが、
前記注入室内に前記第２の圧力を生じるように前記第２の弁を開くことと、
前記第２の圧力の前記注入室を分離するように前記第２の弁を閉じることと、
前記第２の弁を開いて閉じた後に、前記第２の体積の前記注入液が、前記第１の弁を越えて流れることを可能にするように、前記第１の弁を開くことと、を含む、請求項７に記載の方法。
【請求項９】
前記注入導管内の前記第２の体積の前記注入液が前記第１の弁を越えて流れることを生じさせるように前記第１の弁および前記第２の弁を開くことが、
前記第１の弁を開くことと、
前記第１の弁を開いた後に、前記注入導管内の前記第２の体積の前記注入液が前記第１の弁を越えて流れることを可能にするように、前記第２の弁を開くことと、を含む、請求項７に記載の方法。
【請求項１０】
前記液体の前記第１の体積が、１０〜２０立方センチメートルであり、前記液体の前記第２の体積が、１０立方センチメートル以下である、請求項７に記載の方法。
【請求項１１】
前記第１の弁、前記第２の弁、および前記真空源に電子的に連結された制御装置を提供するステップを更に含み、
前記制御装置が、前記第１の弁および前記第２の弁の前記開閉を制御し、前記制御装置が、前記真空源の前記動作を制御する、請求項７に記載の方法。
【請求項１２】
前記注入ポートが、デバイスと流体的に連結されるように構成され、前記第２の体積の前記注入液が、前記第１の弁を越えて移動すると、前記非液体環境内の非液体が、前記デバイスに入る、請求項７に記載の方法。
【請求項１３】
注入システムを動作させる方法であって、
注入室を有するシステムであって、前記注入室が、第１の弁を有する注入導管に接続され、前記注入導管が、第１の圧力を有する非液体環境に暴露される注入ポートを有し、
前記注入室が、分離弁を介して注入圧力源に連結され、
前記注入室が、クロス導管を介して吸引室に流体的に連結され、前記クロス導管が、前記注入室と前記第１の弁との間の場所で前記注入導管と交差し、前記クロス導管が第２の弁を有し、
前記注入室が、供給源を有する供給源導管を介して液体源と流体的に連結され、
前記吸引室が真空源と流体的に連結される、システムを提供することと、
前記供給源弁および前記第２の弁を開くように前記システムを制御することと、
前記供給源弁を閉じるように前記システムを制御することと、
前記第１の弁、前記第２の弁、および前記分離弁を開くように前記システムを制御することと、
前記注入室から前記液体を押し出し、それによって、第１の体積の液体で前記注入導管を充填するために、前記注入圧力源を動作させるように前記システムを制御することと、
前記注入室を分離するために前記第１の弁、前記第２の弁、および前記分離弁を閉じるように前記システムを制御することと、
前記真空源を動作させ、それによって、前記吸引室内に、前記第１の圧力よりも低い第２の圧力を生じるように、前記システムを制御することと、
第２の体積の前記液体が前記第１の弁を越えて流れることを生じさせるために、前記第１の弁および前記第２の弁を開くように前記システムを制御することと、を含み、
前記液体の前記第２の体積は、前記液体の第１の体積以下である、方法。
【請求項１４】
第２の体積の前記液体が前記第１の弁を越えて流れることを生じさせるために、前記第１の弁および前記第２の弁を開くように前記システムを制御することが、
前記注入室内部に前記第２の圧力を生じるように前記第２の弁を開くことと、
前記第２の圧力の前記注入室を分離するように前記第２の弁を閉じることと、
前記第２の体積の前記液体が前記第１の弁を越えて流れることを可能にするように、前記第１の弁を開くことと、を含む、請求項１３に記載の方法。
【請求項１５】
前記第２の体積の前記液体が前記第１の弁を越えて流れることを生じさせるために、前記第１の弁および前記第２の弁を開くように前記システムを制御することが、
前記第１の弁を開くことと、
前記第２の体積の前記液体が前記第１の弁を越えて流れることを可能にするように、前記第２の弁を開くことと、を含む、請求項１３に記載の方法。
【請求項１６】
前記液体の過渡流を生じさせるために、前記第１の弁および前記第２の弁を急速に開いて閉じるように、前記システムを制御するステップを更に含む、請求項１３に記載の方法。
【請求項１７】
前記注入ポートが、デバイスと流体的に連結されるように構成され、前記第２の体積の前記液体が前記第１の弁を越えて移動すると、前記非液体環境内の非液体が前記デバイスに入る、請求項１３に記載の方法。
【請求項１８】
前記第１の弁および前記分離弁を開くように前記システムを制御するステップと、
前記液体を前記注入室から離れる方向へ、かつ前記注入ポートに向かって押し出すために、前記注入圧力源を作動させるように前記システムを制御するステップと、を更に含む、請求項１３に記載の方法。
【請求項１９】
制御ラインを介して、前記第１の弁、前記第２の弁、前記供給源弁、前記分離弁、前記注入圧力源、および前記真空源に電子的に連結された制御装置を提供するステップを更に備え、
前記制御装置が、前記第１の弁、前記第２の弁、前記供給源弁、および前記分離弁の前記開閉を制御し、前記制御装置が、前記注入圧力源および前記真空源の前記動作を制御する、請求項１３に記載の方法。
【請求項２０】
前記液体の前記第１の体積が、１０〜２０立方センチメートルであり、前記液体の前記第２の体積が、１０立方センチメートル以下である、請求項１３に記載の方法。